【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１の基地局にデバイスからの第１のメッセージを送信することと、前記第１のメッセージは、前記デバイスがデバイス・ツー・デバイス（Ｄ２Ｄ）通信セッションを開始することを望むことを指示し、前記第１のメッセージは、グループ識別（ＩＤ）コードを備え、
Ｄ２Ｄ無線ネットワーク一時識別子（ＲＮＴＩ）および前記グループＩＤコードに関連付けられたグループインデックスを備える、前記第１の基地局からの第２のメッセージを受信することと、前記グループインデックスは、前記グループＩＤコードに関連付けられた優先度レベルに従って割り当てられ、
前記第１の基地局に第３のメッセージを送信することと、前記第３のメッセージは、前記Ｄ２Ｄ通信セッションのために送信すべきデータがあるとの指示を備え、
前記Ｄ２Ｄ ＲＮＴＩに従って送信される、前記第１の基地局からの第４のメッセージを受信することと、
を備える、方法。
【請求項２】
前記グループＩＤコードは、前記Ｄ２Ｄ通信セッションに従事する１つまたは複数のデバイスのセットを識別する、請求項１に記載の方法。
【請求項３】
前記第３のメッセージはさらに、前記グループＩＤコードを備える、請求項２に記載の方法。
【請求項４】
インデックスのセットにグループＩＤコードのセットをマッピングすること
をさらに備え、
ここにおいて、各グループＩＤコードは、異なるインデックスにマッピングされる、請求項２に記載の方法。
【請求項５】
前記第４のメッセージは、前記インデックスのセットからのインデックスを備える、請求項４に記載の方法。
【請求項６】
前記Ｄ２Ｄ通信セッションは、前記グループインデックスに従って前記第３のメッセージにおいて識別される、請求項２に記載の方法。
【請求項７】
送信すべきデータがあるとの前記指示は、バッファステータスレポート（ＢＳＲ）を備える、請求項１に記載の方法。
【請求項８】
前記第４のメッセージを前記受信することは、
前記Ｄ２Ｄ ＲＮＴＩを使用して前記第４のメッセージをデスクランブルすることと、
前記デスクランブルすることに少なくとも部分的に基づいて、Ｄ２Ｄ通信のためのリソースを取得することと
を備える、請求項１に記載の方法。
【請求項９】
前記第２のメッセージは、Ｄ２Ｄ半持続性スケジューリング（ＳＰＳ）ＲＮＴＩをさらに備える、請求項１に記載の方法。
【請求項１０】
前記第４のメッセージの一部としてＤ２Ｄ ＳＰＳ起動メッセージを受信することと、
前記Ｄ２Ｄ ＳＰＳ起動メッセージに応答して、Ｄ２Ｄ ＳＰＳ起動アクノレッジメントを送信することと
をさらに備える、請求項９に記載の方法。
【請求項１１】
前記第２のメッセージは、Ｄ２Ｄ無線リソース制御（ＲＲＣ）構成パラメータをさらに備える、請求項１に記載の方法。
【請求項１２】
前記第１の基地局から第２の基地局へのハンドオーバを行うことと、
前記第２の基地局との接続モードにある間、前記Ｄ２Ｄ通信セッションを継続することと、ここにおいて、前記Ｄ２Ｄ通信セッションのための構成コンテキストは、前記第１の基地局から前記第２の基地局に送信されている、
をさらに備える、請求項１に記載の方法。
【請求項１３】
前記第１のメッセージを前記送信することは、前記デバイスにおけるＤ２Ｄ通信モードの選択に応答する、請求項１に記載の方法。
【請求項１４】
前記第４のメッセージは、Ｄ２Ｄスケジューリング割り当て（ＳＡ）またはＤ２Ｄデータ送信のためのリソース許可を備える、請求項１に記載の方法。
【請求項１５】
ワイヤレス通信のための装置であって、
プロセッサと、
前記プロセッサと電子通信するメモリと、
前記メモリに記憶された命令と
を備え、前記命令は、前記装置に、
第１の基地局にデバイスからの第１のメッセージを送信することと、前記第１のメッセージは、前記デバイスがデバイス・ツー・デバイス（Ｄ２Ｄ）通信セッションを開始することを望むことを指示し、前記第１のメッセージは、グループ識別（ＩＤ）コードを備え、
少なくともＤ２Ｄ無線ネットワーク一時識別子（ＲＮＴＩ）および前記グループＩＤコードに関連付けられたグループインデックスを備える、前記第１の基地局からの第２のメッセージを受信することと、前記グループインデックスは、前記グループＩＤコードに関連付けられた優先度レベルに従って割り当てられ、
前記第１の基地局に第３のメッセージを送信することと、前記第３のメッセージは、前記Ｄ２Ｄ通信セッションのために送信すべきデータがあることを指示し、
前記Ｄ２Ｄ ＲＮＴＩに従って送信される、前記第１の基地局からの第４のメッセージを受信することと
を行うことを命令するように前記プロセッサによって実行可能である、装置。
【請求項１６】
ワイヤレス通信の方法であって、
第１のデバイスからの第１のメッセージを基地局において受信することと、前記第１のメッセージは、前記第１のデバイスがデバイス・ツー・デバイス（Ｄ２Ｄ）通信セッションを開始することを望むことを指示し、前記第１のメッセージは、グループ識別（ＩＤ）コードを備え、
前記グループＩＤコードに関連付けられた優先度レベルに従って、前記Ｄ２Ｄ通信セッションのための前記グループＩＤコードにグループインデックスを割り当てることと、
前記基地局から前記第１のデバイスに第２のメッセージを送信することと、前記第２のメッセージは、前記Ｄ２Ｄ通信セッションに関連付けられたＤ２Ｄ無線ネットワーク一時識別子（ＲＮＴＩ）および前記グループインデックスを備え、
前記Ｄ２Ｄ通信セッションのために送信すべきデータがあることを指示する、前記第１のデバイスからの第３のメッセージを前記基地局において受信することと、
前記Ｄ２Ｄ ＲＮＴＩに従って、前記基地局から前記第１のデバイスに第４のメッセージを送信することと
を備える、方法。
【請求項１７】
前記グループＩＤコードは、前記Ｄ２Ｄ通信セッションに従事する１つまたは複数のデバイスのセットを識別する、請求項１６に記載の方法。
【請求項１８】
前記Ｄ２Ｄ通信セッションのための前記グループＩＤコードに前記グループインデックスを割り当てることは、前記グループＩＤコードに関連付けられた前記優先度レベルに従って、アクティブなＤ２Ｄ通信セッションのためのグループインデックスのセット内に前記グループインデックスを配置することを備える、請求項１６に記載の方法。
【請求項１９】
システム情報メッセージにおいて前記グループＩＤコードに関連付けられた前記グループインデックスを、前記基地局からブロードキャストすること
をさらに備える、請求項１６に記載の方法。
【請求項２０】
前記Ｄ２Ｄ通信セッションについての承認のために加入者サーバにＤ２Ｄセッション要求メッセージを送ることと、
前記加入者サーバからの前記Ｄ２Ｄ通信セッションについてのＤ２Ｄサービス情報を受信することと、前記Ｄ２Ｄサービス情報は、前記第１のデバイスの加入者プロファイルに少なくとも部分的に基づく、
をさらに備える、請求項１７に記載の方法。
【請求項２１】
前記Ｄ２Ｄサービス情報は、前記Ｄ２Ｄ通信セッションのための前記グループＩＤコードに関連付けられた前記グループインデックス、前記グループＩＤコードに関連付けられたグループ優先度情報、前記グループＩＤコードに関連付けられたデバイスについての優先度情報、またはこれらの組み合わせ、のうちのいずれかを備える、請求項２０に記載の方法。
【請求項２２】
前記グループ優先度情報に少なくとも部分的に基づいて、前記Ｄ２Ｄ通信セッションのためのリソース割り振りを決定すること
をさらに備える、請求項２１に記載の方法。
【請求項２３】
前記第４のメッセージは、前記Ｄ２Ｄ通信セッションの第１のＤ２Ｄデータ送信のための第１のリソース許可を備え、ここにおいて、前記第１のリソース許可は、前記Ｄ２Ｄ通信セッションのための前記決定されたリソース割り振りに少なくとも部分的に基づく、請求項２２に記載の方法。
【請求項２４】
第２のデバイスが前記Ｄ２Ｄ通信セッションのために送信すべきデータを有するとの、前記グループＩＤコードに関連付けられた前記第２のデバイスからの指示を前記基地局において受信することと、
前記Ｄ２Ｄ通信セッションの第２のＤ２Ｄデータ送信のための、前記第２のデバイスへの第２のリソース許可を前記基地局から送信することと
をさらに備える、請求項２３に記載の方法。
【請求項２５】
前記第１および第２のリソース許可は、前記第１および第２のデバイスに関連付けられた、それぞれのユーザ優先度情報に少なくとも部分的に基づく、請求項２４に記載の方法。
【請求項２６】
前記グループ優先度情報は、前記グループＩＤコードに関連付けられた割り振り保持優先度（ＡＲＰ）を備える、請求項２１に記載の方法。
【請求項２７】
ワイヤレス通信のための装置であって、
プロセッサと、
前記プロセッサと電子通信するメモリと、
前記メモリに記憶された命令と
を備え、前記命令は、前記装置に、
第１のデバイスからの第１のメッセージを基地局において受信することと、前記第１のメッセージは、前記第１のデバイスがデバイス・ツー・デバイス（Ｄ２Ｄ）通信セッションを開始することを望むことを指示し、前記第１のメッセージは、グループ識別（ＩＤ）コードを備え、
前記グループＩＤコードに関連付けられた優先度レベルに従って、前記Ｄ２Ｄ通信セッションのための前記グループＩＤコードにグループインデックスを割り当てることと、
前記基地局から前記第１のデバイスに第２のメッセージを送信することと、前記第２のメッセージは、前記Ｄ２Ｄ通信セッションに関連付けられた少なくとも１つのＤ２Ｄ無線ネットワーク一時識別子（ＲＮＴＩ）を備え、
前記Ｄ２Ｄ通信セッションのために送信すべきデータがあることを指示する、前記第１のデバイスからの第３のメッセージを前記基地局において受信することと、
前記少なくとも１つのＤ２Ｄ ＲＮＴＩに従って、前記基地局から前記第１のデバイスに第４のメッセージを送信することと
を行うことを命令するように前記プロセッサによって実行可能である、装置。